(57)【要約】【課題】  頭部に装着された状態でイベントを通知する際に、使用者に起こりうる不快感を軽減することができる。【解決手段】  携帯電話機１００は、頭部に装着することができ、振動部１３による振動、着信音出力部１４による着信音、表示部４による表示によって、使用者に対して着信の通知を行うものである。ここで、携帯電話機１００は、頭部に装着されていることを検出するための装着検出部６と、振動部１３、着信音出力部１４、および表示部４を制御する制御部１１とを備えている。そして、制御部１１は、着信があった際に、携帯電話機１００が頭部に装着されていることを装着検出部６が検出した場合には、振動部１３による振動の強度を装着されていない場合よりも減少させる。これにより、携帯機器を頭部に装着している際に、振動が頭蓋骨に伝わることによる不快感を軽減することができる。【選択図】  図１
2007053585.tif 000002
【特許請求の範囲】
【請求項１】
携帯機器であって、
当該携帯機器が人体に装着されていることを検出するための装着検出部と、
上記携帯機器に関するイベントが発生した際に使用者に対して当該イベントの通知を行うために調節可能な強度で振動を発するための振動部と、
上記振動部を制御する制御部とを備え、
上記制御部は、上記イベントの発生の際に、上記携帯機器が人体に装着されていることを上記装着検出部が検出した場合には、装着されていない場合と比べて、上記振動部による振動の強度を減少させることを特徴とする、携帯機器。
【請求項２】
上記制御部は、上記イベントが発生した際に、上記携帯機器が人体に装着されていることを上記装着検出部が検出した場合には、上記振動部が振動を発するのを禁止することを特徴とする、請求項１に記載の携帯機器。
【請求項３】
上記イベントが発生した際に使用者に対して当該イベントの通知を行うために調節可能な音量で通知音を出力するための通知音出力部をさらに備え、
上記制御部は、上記通知音出力部をも制御するものであるとともに、上記イベントが発生した際に、上記携帯機器が人体に装着されていることを上記装着検出部が検出した場合には、装着されていない場合と比べて、上記通知音出力部による通知音の音量を減少させることを特徴とする、請求項１または２に記載の携帯機器。
【請求項４】
上記制御部は、上記イベントが発生した際に、上記携帯機器が人体に装着されていることを上記装着検出部が検出した場合には、上記通知音出力部が通知音を出力するのを禁止することを特徴とする、請求項３に記載の携帯機器。
【請求項５】
使用者の耳に取り付けられるとともにその使用者のみに対して音を出力するための耳取付型音声出力部をさらに備え、
上記制御部は、上記耳取付型音声出力部をも制御するものであるとともに、上記イベントが発生した際に、上記携帯機器が人体に装着されていることを上記装着検出部が検出した場合には、上記耳取付型音声出力部に通知音を出力させることを特徴とする、請求項４に記載の携帯機器。
【請求項６】
耳取付型音声出力部から出力される所望の音量を記憶するための設定音量記憶部をさらに備え、
上記制御部は、上記イベントが発生した際に、上記携帯機器が人体に装着されていることを上記装着検出部が検出した場合には、上記耳取付型音声出力部に、上記設定音量記憶部に記憶された音量で通知音を出力させることを特徴とする、請求項５に記載の携帯機器。
【請求項７】
上記イベントが発生した際に使用者に対して当該イベントの通知を視覚的に行うための表示部をさらに備え、
上記制御部は、上記表示部をも制御するものであるとともに、上記イベントが発生した際に、上記携帯機器が人体に装着されていることを上記装着検出部が検出した場合には、上記表示部にイベントの通知を行わせることを特徴とする、請求項１から６の何れか１項に記載の携帯機器。
【請求項８】
携帯機器であって、
当該携帯機器が人体に装着されていることを検出するための装着検出部と、
上記イベントが発生した際に使用者に対して当該イベントの通知を行うために調節可能な音量で通知音を出力するための通知音出力部と、
上記通知音出力部を制御する制御部とを備え、
上記制御部は、上記イベントが発生した際に、上記携帯機器が人体に装着されていることを上記装着検出部が検出した場合には、装着されていない場合と比べて、上記通知音出力部による通知音の音量を減少させるとともに、上記通知音出力部は、上記制御部によって減少された音量で出力された通知音によって使用者に対して上記イベントの通知を行うことを特徴とする携帯機器。
【請求項９】
携帯機器であって、
当該携帯機器が人体に装着されていることを検出するための装着検出部と、
上記イベントが発生した際に使用者に対して当該イベントの通知を行うために調節可能な音量で通知音を出力するための通知音出力部と、
上記イベントが発生した際に使用者に対して当該イベントの通知を視覚的に行うための表示部と、
上記通知音出力部および上記表示部を制御する制御部とを備え、
上記制御部は、上記イベントが発生した際に、上記携帯機器が人体に装着されていることを上記装着検出部が検出した場合には、装着されていない場合と比べて上記通知音出力部による通知音の音量を減少させるとともに、上記表示部にイベントの通知を行わせることを特徴とする携帯機器。
【請求項１０】
上記制御部は、上記イベントが発生した際に、上記携帯機器が人体に装着されていることを上記装着検出部が検出した場合には、上記通知音出力部が通知音を出力するのを禁止することを特徴とする、請求項９に記載の携帯機器。
【請求項１１】
上記装着検出部は、上記携帯機器が人体から装着解除されたことを検出するものでもあり、
上記制御部は、上記携帯機器が人体から装着解除されたことを上記装着検出部が検出してから所定の時間以内に上記イベントが発生した場合、または上記イベントが発生している間に上記携帯機器が人体から装着解除されたことを上記装着検出部が検出した場合には、上記振動部による振動の強度を、上記携帯機器が装着されたときの強度から装着されていないときの強度まで、装着解除が検出された時点からの経過時間に応じて段階的または連続的に変化させることを特徴とする、請求項１に記載の携帯機器。
【請求項１２】
上記装着検出部は、上記携帯機器が人体から装着解除されたことを検出するものでもあり、
上記制御部は、上記携帯機器が人体から装着解除されたことを上記装着検出部が検出してから所定の時間以内に上記イベントが発生した場合、または上記イベントが発生している間に上記携帯機器が人体から装着解除されたことを上記装着検出部が検出した場合には、装着解除が検出された時点から所定の時間経過後に、上記振動部による振動の強度を上記携帯機器が装着されていないときの強度に変化させることを特徴とする、請求項１に記載の携帯機器。
【請求項１３】
上記装着検出部は、上記携帯機器が人体から装着解除されたことを検出するものでもあり、
上記制御部は、上記携帯機器が人体から装着解除されたことを上記装着検出部が検出してから所定の時間以内に上記イベントが発生した場合、または上記イベントが発生している間に上記携帯機器が人体から装着解除されたことを上記装着検出部が検出した場合には、上記通知音出力部による通知音の音量を、上記携帯機器が装着されたときの音量から装着されていないときの音量まで、装着解除が検出された時点からの経過時間に応じて段階的または連続的に変化させることを特徴とする、請求項３、８または９に記載の携帯機器。
【請求項１４】
上記装着検出部は、上記携帯機器が人体から装着解除されたことを検出するものでもあり、
上記制御部は、上記携帯機器が人体から装着解除されたことを上記装着検出部が検出してから所定の時間以内に上記イベントが発生した場合、または上記イベントが発生している間に上記携帯機器が人体から装着解除されたことを上記装着検出部が検出した場合には、装着解除が検出された時点から所定の時間経過後に、上記通知音出力による通知音の音量を上記携帯機器が装着されていないときの音量に変化させることを特徴とする、請求項３、８または９に記載の携帯機器。
【請求項１５】
上記携帯機器を着脱する際に使用者が操作可能な操作部を備え、
上記制御部は、上記操作部が操作された場合には、上記イベントの発生の際に、上記振動部による振動の強度を、上記携帯機器が人体に装着されていることを上記装着検出部が検出した場合の強度に減少させることを特徴とする、請求項１に記載の携帯機器。
【請求項１６】
上記携帯機器を着脱する際に使用者が操作可能な操作部を備え、
上記制御部は、上記操作部が操作された場合には、上記イベントの発生の際に、上記通知音出力部による通知音の音量を、上記携帯機器が人体に装着されていることを上記装着検出部が検出した場合の音量に減少させることを特徴とする、請求項３，８または９に記載の携帯機器。
【請求項１７】
上記携帯機器とは着信機能および通話機能を有する携帯電話機であり、
上記イベントとは着信であることを特徴とする、請求項１から１６の何れか１項に記載の携帯機器。
【請求項１８】
装着時に頭蓋と耳介とによって挟まれる耳掛部と、
結合部材を介して当該耳掛部が間隙を有して取り付けられるとともに、当該耳掛部とともに耳介を挟む耳当部とを備え、
上記装着検出部は、上記間隙に配設されるとともに、人体の一部が当該装着検出部に接触することを検出するものであり、
上記耳掛部と上記耳当部との間の上記間隙の最小値は、１３ｍｍ以下であることを特徴とする、請求項１から１７の何れか１項に記載の携帯機器。
【請求項１９】
上記耳掛部と上記耳当部との間の上記間隙の最小値は、１１．５ｍｍ以下であることを特徴とする、請求項１８に記載の携帯機器。
【請求項２０】
上記操作部は、上記装着検出部と同一の部材であることを特徴とする、請求項１５または１６に記載の携帯機器。
【請求項２１】
上記装着検出部は、上記携帯機器が頭部に装着されていることを検出するものであることを特徴とする、請求項１から２０の何れか１項に記載の携帯機器。
【請求項２２】
請求項１から２１の何れか１項に記載の携帯機器を動作させるためのプログラムであって、コンピュータを上記制御部として機能させるためのプログラム。
【請求項２３】
請求項２２に記載のプログラムが記録されたコンピュータ読み取り可能な記録媒体。
【発明の詳細な説明】
【技術分野】
【０００１】
本発明は、携帯機器に関するものであり、詳細には、着信などのイベントに応じて使用者に対して通知を行う携帯機器に関するものである。なお、携帯機器とは、例えば、携帯電話機を含む各種携帯通信端末装置、ＰＤＡ（personal digital assistant）、携帯時計、携帯音楽再生装置、および携帯映像再生装置などをいう。
【背景技術】
【０００２】
従来の固定電話機は、主としてベル音によって着信の通知を行っていた。しかしながら、近年、携帯電話機が普及するにつれ、電話機の着信通知方法が多様化している。現在の携帯電話機に用いられている着信通知方法としては、（イ）パターン音や音声、音楽などを含む音によるもの、（ロ）振動によるもの、（ハ）ＬＥＤ（light-emitting diode）の点滅によるもの、（ニ）液晶画面における表示によるもの、などが挙げられる。
【０００３】
携帯電話機は、人によって携帯されるというその性質上、上記の着信通知方法を複数備え、状況に応じた好適な方法でユーザに着信通知を行えることが好ましい。音を利用した通知方法は、ユーザが携帯電話機を鞄に入れたりしている場合であっても、ユーザに着信を通知できるという利点がある。一方、振動を利用した通知方法は、電車内など多くの人が密集している場所であっても、携帯電話機を体に接触させているユーザに対してのみ着信を通知できるという利点がある。また、ＬＥＤの点滅や液晶画面における表示を利用した方法は、携帯電話機のＬＥＤや液晶画面が見えるユーザに対してのみ着信を通知できるという利点がある。
【０００４】
上述した通知方法の多様化を背景に、状況に応じて通知方法を自動的に切り換えることのできる携帯電話機が考え出されている。例えば特許文献１には、人体に装着されていることを検知できる温度センサと、周囲の騒音レベルを測定するマイクとを備え、人体に装着されている場合で、かつ、静粛環境下である場合に、着信や時刻の通知方法をサウンダーからバイブレータに切り換える携帯電話機が開示されている。この携帯電話機によれば、静粛環境下で他人に迷惑をかけることなく着信や時刻を通知することができる。
【０００５】
また特許文献２には、人体に存在する特有の低周波振動を検出できるセンサを備え、低周波振動を検出した際には着信を振動で知らせ、低周波振動が検出されない際には音や光などによって着信を知らせるように自動的に通知方法を切り換える携帯電話機が開示されている。この携帯電話機によれば、携帯時には振動によって着信を通知し、非携帯時には音や光などの振動以外の方法によって着信を通知することができる。
【０００６】
ところで、近年、携帯電話機は、着信通知方法のみならず利用方法も多様化している。近年の携帯電話機は、通話機能を担うハードウェアが小型化されたことによって他の機能を組み込むことが容易になり、通話に加え様々な処理を行うことができるようになった。その代表的な例が音楽の鑑賞であり、またテレビの視聴である。このような携帯電話機の利用方法の多様化に応じて、携帯電話機の形状や使用形態にも様々なものが考え出されている。
【０００７】
例えば特許文献３には、通話時の音声に加え、ＭＤプレーヤからの音楽を出力できるヘッドフォン型携帯電話機が開示されている。この携帯電話機は頭部に装着するものであり、音楽の鑑賞と通話とを自動的に切り換えることができる。
【特許文献１】特開平１１−１３６３１８号公報（平成１１年(1999)５月２１日公開）
【特許文献２】特開平１１−２７５１８３号公報（平成１１年(1999)１０月８日公開）
【特許文献３】特開２０００−２０９３６３号公報（平成１２年(2000)７月２８日公開）
【発明の開示】
【発明が解決しようとする課題】
【０００８】
しかしながら、頭部に装着されることを考慮して、着信などのイベントの通知方法を自動的に切り換えることのできる携帯電話機はいまだ存在しない。具体的に説明すると、頭部に装着されるよう構成された携帯電話機が、例えば特許文献１や特許文献２に記載された手法に従って通知方法を切り換える場合、頭部に装着された状態では振動による通知が行われる。しかしながら、人体の頭部の皮膚は非常に薄いため、このような方法によると振動が直接頭蓋骨に伝わり、ユーザは著しく不快に感じることになる。
【０００９】
また、頭部に装着された状態で着信音による通知が行われる場合、着信音が使用者の耳元で鳴ることになる。この際、着信音は携帯電話機が鞄やポケットなどに入っているときと同じ音量で鳴るので、使用者は不快に感じることになる。
【００１０】
近年では携帯電話機が映像をも扱うようになったことから、ヘッドマウントディスプレイ型（眼鏡型）の携帯電話機も登場することが容易に想定でき、上記の問題を解決することが一層望まれている。
【００１１】
本発明は上記課題に鑑みてなされたものであり、頭部に装着された状態で携帯機器に関するイベントを通知する際に、使用者に起こりうる不快感を軽減することのできる携帯機器を実現することを目的とする。
【課題を解決するための手段】
【００１２】
本発明に係る携帯機器は、上記課題を解決するために、当該携帯機器が人体に装着されていることを検出するための装着検出部と、上記携帯機器に関するイベントが発生した際に使用者に対して当該イベントの通知を行うために調節可能な強度で振動を発するための振動部と、上記振動部を制御する制御部とを備え、上記制御部は、上記イベントが発生した際に、上記携帯機器が人体に装着されていることを上記装着検出部が検出した場合には、装着されていない場合と比べて、上記振動部による振動の強度を減少させることを特徴とする。
【００１３】
上記構成によれば、装着検出部は、携帯機器に関するイベントが発生した際に、携帯機器が人体へ装着されているかどうかを検出する。そして、装着検出部が装着を検出した場合には、制御部が、振動部の発する振動の強度を、装着されていない場合よりも減少させる。これにより、使用者の頭蓋骨に伝わる振動が減少し、使用者の不快感が軽減される。以上のように、本発明の携帯機器によれば、頭部に装着された状態で携帯機器に関するイベントを通知する際に、使用者に起こりうる不快感を軽減することができる。
【００１４】
また、上記制御部は、上記イベントが発生した際に、上記携帯機器が人体に装着されていることを上記装着検出部が検出した場合には、上記振動部が振動を発するのを禁止することが好ましい。
【００１５】
上記構成によれば、制御部は、イベントが発生した際に携帯機器が人体に装着されていることを上記装着検出部が検出した場合には、振動部が振動を発するのを禁止する。これにより、頭部に装着されている状態で振動部が振動を発するのを防止することができる。ゆえに、使用者の頭蓋骨に振動が伝わるのを回避することができ、頭部に装着された状態でイベントを通知する際に、使用者に不快感が生じるのを防止することができる。
【００１６】
また、上記携帯機器は、上記イベントが発生した際に使用者に対して当該イベントの通知を行うために調節可能な音量で通知音を出力するための通知音出力部をさらに備え、上記制御部は、上記通知音出力部をも制御するものであるとともに、上記イベントが発生した際に、上記携帯機器が人体に装着されていることを上記装着検出部が検出した場合には、装着されていない場合と比べて、上記通知音出力部による通知音の音量を減少させることが好ましい。
【００１７】
上記構成によれば、携帯機器は、イベントが発生した際に使用者に対してイベントの通知を行うために調節可能な音量で通知音を出力するための通知音出力部をさらに備え、この通知音出力部を制御部が制御する。そして、制御部は、イベントが発生した際に装着検出部が装着を検出した場合には、通知音出力部による通知音の音量を減少させる。これにより、頭部に装着された状態において通知音出力部から出力される通知音の音量が小さくなる。つまり、使用者の耳元で鳴る通知音の音量が小さくなり、使用者に起こりうる不快感を軽減することができる。
【００１８】
また、上記制御部は、上記イベントが発生した際に、上記携帯機器が人体に装着されていることを上記装着検出部が検出した場合には、上記通知音出力部が通知音を出力するのを禁止することが好ましい。
【００１９】
上記構成によれば、制御部は、イベントが発生した際に携帯機器が人体に装着されていることを上記装着検出部が検出した場合には、通知音出力部が通知音を出力するのを禁止する。これにより、頭部に装着している状態で携帯機器から通知音が出力されることはないため、使用者の耳元で通知音が鳴ることがなく、使用者に不快感が生じるのを防止することができる。
【００２０】
また、上記携帯機器は、使用者の耳に取り付けられるとともにその使用者のみに対して音を出力するための耳取付型音声出力部をさらに備え、上記制御部は、上記耳取付型音声出力部をも制御するものであるとともに、上記イベントが発生した際に、上記携帯機器が人体に装着されていることを上記装着検出部が検出した場合には、上記耳取付型音声出力部に通知音を出力させることを特徴とする。
【００２１】
上記構成によれば、携帯機器は、使用者の耳に取り付けられる耳取付型音声出力部をさらに備え、この耳取付型音声出力部を制御部が制御する。そして、制御部は、イベントが発生した際に、上記携帯機器が人体に装着されていることを上記装着検出部が検出した場合には、上記耳取付型音声出力部に通知音を出力させる。ここで、耳取付型音声出力部は、使用者のみに対して通知を行うことができるものである。上述したように、制御部は通知音出力部による通知音の出力を禁止し、耳取付型音声出力部から通知音を出力させる。よって、携帯機器は、頭部に装着されている状態でイベントが発生した際に、使用者のみに対してイベントの通知を行うことができる。
【００２２】
また、上記携帯機器は、耳取付型音声出力部から出力される所望の音量を記憶するための設定音量記憶部をさらに備え、上記制御部は、上記イベントが発生した際に、上記携帯機器が人体に装着されていることを上記装着検出部が検出した場合には、上記耳取付型音声出力部に、上記設定音量記憶部に記憶された音量で通知音を出力させることが好ましい。
【００２３】
上記構成によれば、携帯機器は、耳取付型音声出力部から出力される所望の音量を記憶するための設定音量記憶部をさらに備えている。そして、制御部は、イベントが発生した際に上記携帯機器が人体に装着されていることを上記装着検出部が検出した場合には、設定音量記憶部に記憶された音量で、耳取付型音声出力部に通知音を出力させる。これにより、耳取付型音声出力部から出力される音量は、使用者の所望の音量となり、通知音が大きな音量で出力されることによって使用者に不快感が生じるのを防止することができる。
【００２４】
また、上記携帯機器は、上記イベントが発生した際に使用者に対して当該イベントの通知を視覚的に行うための表示部をさらに備え、上記制御部は、上記表示部をも制御するものであるとともに、上記イベントが発生した際に、上記携帯機器が人体に装着されていることを上記装着検出部が検出した場合には、上記表示部にイベントの通知を行わせることことが好ましい。
【００２５】
上記構成によれば、携帯機器は、イベントが発生した際に使用者に対して当該イベントの通知を視覚的に行うための表示部をさらに備え、この表示部を制御部が制御する。そして、制御部は、イベントが発生した際に、携帯機器が人体に装着されていることを装着検出部が検出した場合には、表示部にイベントの通知を行わせる。よって、振動部による振動を減少させた場合や禁止した場合であっても、振動部による振動の代わりに、表示部による視覚的な通知方法によって使用者にイベントの通知を行うことができる。なお、上記の表示部は、画像を表示するものに限定されず、ＬＥＤなどの視覚的に通知を行うことのできるあらゆる部材が含まれる。
【００２６】
本発明に係る携帯機器は、上記課題を解決するために、当該携帯機器が人体に装着されていることを検出するための装着検出部と、上記イベントが発生した際に使用者に対して当該イベントの通知を行うために調節可能な音量で通知音を出力するための通知音出力部と、上記通知音出力部を制御する制御部とを備え、上記制御部は、上記イベントが発生した際に、上記携帯機器が人体に装着されていることを上記装着検出部が検出した場合には、装着されていない場合と比べて、上記通知音出力部による通知音の音量を減少させるとともに、上記通知音出力部は、上記制御部によって減少された音量で出力された通知音によって使用者に対して上記イベントの通知を行うことを特徴とする。
【００２７】
上記構成によれば、装着検出部は、携帯機器に関するイベントが発生した際に、携帯機器が人体へ装着されているかどうかを検出する。そして、装着検出部が装着を検出した場合には、制御部が、通知音出力部の発する通知音の音量を装着されていない場合よりも減少させ、通知音出力部が、減少した音量の通知音を出力する。これにより、携帯機器を頭部に装着した場合、装着された状態において通知音出力部から出力される通知音の音量が小さくなる。つまり、使用者の耳元で鳴る通知音の音量が小さくなり、使用者に起こりうる不快感を軽減しつつ、使用者にイベントの通知を行うことができる。
【００２８】
本発明に係る携帯機器は、上記課題を解決するために、当該携帯機器が人体に装着されていることを検出するための装着検出部と、上記イベントが発生した際に使用者に対して当該イベントの通知を行うために調節可能な音量で通知音を出力するための通知音出力部と、上記イベントが発生した際に使用者に対して当該イベントの通知を視覚的に行うための表示部と、上記通知音出力部および上記表示部を制御する制御部とを備え、上記制御部は、上記イベントが発生した際に、上記携帯機器が人体に装着されていることを上記装着検出部が検出した場合には、装着されていない場合と比べて上記通知音出力部による通知音の音量を減少させるとともに、上記表示部にイベントの通知を行わせることを特徴とする。
【００２９】
上記構成によれば、装着検出部は、携帯機器に関するイベントが発生した際に、携帯機器が人体へ装着されているかどうかを検出する。そして、装着検出部が装着を検出した場合には、制御部が、通知音出力部の発する通知音の音量を装着されていない場合よりも減少させる。これにより、携帯機器を頭部に装着した場合、装着された状態において通知音出力部から出力される通知音の音量が小さくなる。つまり、使用者の耳元で鳴る通知音の音量が小さくなり、使用者に起こりうる不快感を軽減しつつ、使用者にイベントの通知を行うことができる。
【００３０】
さらに、このとき、制御部が表示部にイベントの通知を行わせるので、通知音出力部から出力される通知音の音量を減少させた場合であっても、それを補う手段として、表示部による視覚的な通知方法によって使用者にイベントの通知を行うことができる。なお、上記の表示部は、画像を表示するものに限定されず、ＬＥＤなどの視覚的に通知を行うことのできるあらゆる部材が含まれる。
【００３１】
また、上記制御部は、上記イベントが発生した際に、上記携帯機器が人体に装着されていることを上記装着検出部が検出した場合には、上記通知音出力部が通知音を出力するのを禁止することが好ましい。
【００３２】
上記構成によれば、制御部は、イベントが発生した際に携帯機器が人体に装着されていることを上記装着検出部が検出した場合には、通知音出力部が通知音を出力するのを禁止する。これにより、頭部に装着している状態で携帯機器から通知音が出力されることはないため、使用者の耳元で通知音が鳴ることがなく、使用者に不快感が生じるのを確実に防止することができる。
【００３３】
また、上記装着検出部は、上記携帯機器が人体から装着解除されたことを検出するものでもあり、上記制御部は、上記携帯機器が人体から装着解除されたことを上記装着検出部が検出してから所定の時間以内に上記イベントが発生した場合、または上記イベントが発生している間に上記携帯機器が人体から装着解除されたことを上記装着検出部が検出した場合には、上記振動部による振動の強度を、上記携帯機器が装着されたときの強度から装着されていないときの強度まで、装着解除が検出された時点からの経過時間に応じて段階的または連続的に変化させることが好ましい。
【００３４】
上記構成によれば、制御部は、携帯機器が人体から装着解除されたことを装着検出部が検出すると、イベントの発生の際に、装着解除された時点からの経過時間に応じて振動の強度を徐々に通常の強度に戻していく。これにより、携帯機器を人体から外した直後は装着時と同様の振動の強度となるため、使用者が携帯機器を頭部から外している最中に頭部で振動が発生することによる不快感を低減することができる。
【００３５】
また、上記装着検出部は、上記携帯機器が人体から装着解除されたことを検出するものでもあり、上記制御部は、上記携帯機器が人体から装着解除されたことを上記装着検出部が検出してから所定の時間以内に上記イベントが発生した場合、または上記イベントが発生している間に上記携帯機器が人体から装着解除されたことを上記装着検出部が検出した場合には、装着解除が検出された時点から所定の時間経過後に、上記振動部による振動の強度を上記携帯機器が装着されていないときの強度に変化させることが好ましい。
【００３６】
上記構成によれば、制御部は、携帯機器が人体から装着解除されたことを装着検出部が検出すると、イベントの発生の際に、装着解除された時点からの所定の時間経過後に振動の強度を通常の強度に戻す。これにより、携帯機器を人体から外した直後は装着時と同様の振動の強度となるため、使用者が携帯機器を頭部から外している最中にイベントが発生し、頭部で振動が発生することによる不快感を低減することができる。また、使用者が携帯機器を頭部に装着したままジャンプしたり走ったりすることによって、携帯機器が頭部から外れかけた際にイベントが発生し、頭部で振動が発生することによる不快感を低減することができる。
【００３７】
また、上記装着検出部は、上記携帯機器が人体から装着解除されたことを検出するものでもあり、上記制御部は、上記携帯機器が人体から装着解除されたことを上記装着検出部が検出してから所定の時間以内に上記イベントが発生した場合、または上記イベントが発生している間に上記携帯機器が人体から装着解除されたことを上記装着検出部が検出した場合には、上記通知音出力部による通知音の音量を、上記携帯機器が装着されたときの音量から装着されていないときの音量まで、装着解除が検出された時点からの経過時間に応じて段階的または連続的に変化させることが好ましい。
【００３８】
上記構成によれば、制御部は、携帯機器が人体から装着解除されたことを装着検出部が検出すると、イベントの発生の際に、装着解除された時点からの経過時間に応じて通知音の音量を徐々に通常の音量に戻していく。これにより、携帯機器を人体から外した直後は装着時と同様の通知音の音量となるため、使用者が携帯機器を頭部から外している最中に耳元で大音量の通知音が鳴ることによる不快感を低減することができる。
【００３９】
また、上記装着検出部は、上記携帯機器が人体から装着解除されたことを検出するものでもあり、上記制御部は、上記携帯機器が人体から装着解除されたことを上記装着検出部が検出してから所定の時間以内に上記イベントが発生した場合、または上記イベントが発生している間に上記携帯機器が人体から装着解除されたことを上記装着検出部が検出した場合には、装着解除が検出された時点から所定の時間経過後に、上記通知音出力による通知音の音量を上記携帯機器が装着されていないときの音量に変化させることが好ましい。
【００４０】
上記構成によれば、制御部は、携帯機器が人体から装着解除されたことを装着検出部が検出すると、イベントの発生の際に、装着解除された時点からの所定の時間経過後に通知音の音量を通常の音量に戻す。これにより、携帯機器を人体から外した直後は装着時と同様の通知音の音量となるため、使用者が携帯機器を頭部から外している最中にイベントが発生し、耳元で大音量の通知音が鳴ることによる不快感を低減することができる。また、使用者が携帯機器を頭部に装着したままジャンプしたり走ったりすることによって、携帯機器が頭部から外れかけた際にイベントが発生し、耳元で大音量の通知音が鳴ることによる不快感を低減することができる。
【００４１】
また、上記携帯機器は、上記携帯機器を着脱する際に使用者が操作可能な操作部を備え、上記制御部は、上記イベントの発生の際に、上記操作部が使用者によって操作された場合には、上記振動部による振動の強度を、上記携帯機器が人体に装着されていることを上記装着検出部が検出した場合の強度に減少させることが好ましい。
【００４２】
上記構成によれば、使用者が操作部を操作することによって、制御部が振動部による振動を装着時の強度に減少させる。そして、この操作部は使用者が携帯機器を着脱する際に操作可能な位置に設けられている。よって、使用者が携帯機器を着脱する際にこの操作部を操作することによって、着脱時に頭部で振動が発生することによる不快感を防止することができる。
【００４３】
また、上記携帯機器は、上記携帯機器を着脱する際に使用者が操作可能な操作部を備え、上記制御部は、上記イベントの発生の際に、上記操作部が使用者によって操作された場合には、上記通知音出力部による通知音の音量を、上記携帯機器が人体に装着されていることを上記装着検出部が検出した場合の音量に減少させることが好ましい。
【００４４】
上記構成によれば、使用者が操作部を操作することによって、制御部が通知音出力部による通知音を装着時の音量に減少させる。そして、この操作部は使用者が携帯機器を着脱する際に操作可能な位置に設けられている。よって、使用者が携帯機器を着脱する際にこの操作部を操作することによって、着脱時に耳元で大音量の通知音が鳴ることによる不快感を防止することができる。
【００４５】
また、上記操作部は、上記装着検出部と同一の部材であってもよい。これにより、携帯機器に設ける部材数を減少させることができ、コストを抑制することができる。
【００４６】
また、上記携帯機器とは着信機能および通話機能を有する携帯電話機であり、上記イベントとは、着信であってもよい。
【００４７】
上記構成によれば、携帯電話機が頭部に装着されている状態で着信があった場合に、使用者に起こりうる不快感を軽減することができる。
【００４８】
また、上記装着検出部は、上記携帯機器が頭部に装着されていることを検出するものであることが好ましい。
【００４９】
上記構成によれば、装着検出部は、上記携帯機器が頭部に装着されていることを検出するものであるので、携帯機器が頭部に装着されている場合にのみ、上記の方法でイベントを通知することができる。
【００５０】
また、上記携帯機器は、装着時に頭蓋と耳介とによって挟まれる耳掛部（みみかけぶ）と、結合部材を介して当該耳掛部が間隙を有して取り付けられるとともに、当該耳掛部とともに耳介を挟む耳当部（みみあてぶ）とを備え、上記装着検出部は、上記間隙に配設されるとともに、人体の一部が当該装着検出部に接触することを検出するものであり、上記耳掛部と上記耳当部との間の上記間隙の最小値は、１３ｍｍ以下であることが好ましい。
【００５１】
上記構成によれば、携帯機器は、耳掛部と耳当部とを備えている。耳掛部と耳当部とは、結合部材を介して取り付けられており、その間には間隙が存在する。ここで、耳掛部は頭蓋と耳介とによって挟まれ、耳介は耳掛部と耳当部とによって挟まれる。つまり、間隙には耳介が挿入されることになり、装着検出部はこの間隙に配設されている。これにより、装着検出部は、耳介が間隙に挿入されたことをもって携帯機器が頭部に装着されたことを検出することができる。
【００５２】
また、間隙の最小値は１３ｍｍ以下となっており、工業技術院製品科学研究所が行った計測調査の結果によれば第二指遠位間接幅の最小値が１１．５ｍｍであることから、携帯機器の持ち運びの際などに、この間隙に第二指などが安易に挿入され、装着検出部が誤検出してしまうのを抑制することができる。
【００５３】
また、上記耳掛部と上記耳当部との間の上記間隙の最小値は、１１．５ｍｍ以下であることが好ましい。
【００５４】
上記構成によれば、間隙の最小値が１１．５ｍｍ以下となっている。上述したように、第二指遠位間接幅の最小値は１１．５ｍｍであることから、携帯機器の持ち運びの際などに第二指などが間隙に挿入され、装着検出部が誤検出してしまうのを防止することができる。
【００５５】
ところで、上記携帯機器は、ハードウェアで実現してもよいし、プログラムをコンピュータに実行させることによって実現してもよい。具体的には、本発明に係るプログラムは、上記制御部としてコンピュータを動作させるプログラムであり、本発明に係る記録媒体には、当該プログラムが記録されている。
【００５６】
これらのプログラムがコンピュータによって実行されると、当該コンピュータは、上記携帯機器として動作する。したがって、上記携帯機器と同様に、頭部に装着された状態で携帯機器に関するイベントを通知する際に、使用者に起こりうる不快感を軽減することができる。
【発明の効果】
【００５７】
本発明に係る携帯機器は、以上のように、イベントが発生した際に、上記携帯機器が人体に装着されていることを上記装着検出部が検出した場合には、装着されていない場合と比べて、上記振動部による振動の強度を減少させる制御部を備えた構成となっている。
【００５８】
また、本発明に係る携帯機器は、以上のように、イベントが発生した際に、上記形態機器が人体に装着されていることを上記装着検出部が検出した場合には、装着されていない場合と比べて、通知音出力部による通知音の音量を減少させる制御部を備えた構成となっている。
【００５９】
従って、上述したように、頭部に装着された状態で携帯機器に関するイベントを通知する際に、使用者に起こりうる不快感を軽減できるという効果を奏する。
【発明を実施するための最良の形態】
【００６０】
〔実施形態１〕
本発明の一実施形態に係る携帯電話機について説明する。図２は、本実施形態の携帯電話機を使用者が頭部に装着したときの様子を示す図である。図２に示すように、本実施形態の携帯電話機１００は頭部に装着するものであり、使用者の耳に掛けて使用する構成となっている。図３は、本実施形態に係る携帯電話機の構造を示す概略図である。図３に示すように、携帯電話機１００は、本体部１、画面支持部２、音声入力部３、表示部４、耳掛部（みみかけぶ）５、装着検出部６、音声出力部７を備えている。
【００６１】
本体部１は、通話機能を実現するための各種ハードウェア、具体的には通信用のアンテナ、振動を発生させるためのバイブレータ、充電池、並びに、各種制御を行うためのＣＰＵ、ＲＡＭ、及びＲＯＭ（read only memory）などを内蔵している。
【００６２】
本体部１は、円盤形状であり、円形部分の面積は耳の大部分を覆う程度となっている。なお、本体部１は、曲面を構成する人間の顔の表面に沿うように、丸みを帯びた円盤形状となっていてもよい。そして、本体部１の円形表面の一方の中央部には、音声出力部７が埋設されている。使用者が携帯電話機１００を頭部に装着した場合、図１から分かるように、音声出力部７は使用者の耳の入口に取り付けられることになる。音声出力部７はスピーカを備え、通話時に相手の音声を使用者のみに対して出力するために用いられる。また、携帯電話機１００が音楽再生機能を有している場合は、音楽も出力できることが好ましい。
【００６３】
音声出力部７が埋設されている本体部１の円形表面には、耳掛部５が後述する結合部材８を介して取り付けられている。耳掛部５は、携帯電話機１００を耳に掛けて使用する際に、使用者の耳介と頭蓋とで挟まれる部位である。耳掛部５はＣ字形状の平板構造または棒構造となっており、そのＣ字形状の表面と本体部１の円形表面とが略平行になるように、本体部１に少しの間隙を有して取り付けられている。
【００６４】
耳掛部５のＣ字形状の内周は、耳介の最も外側の周囲長さよりも小さく、かつ、耳介の付け根部分の周囲長さよりも大きくなっている。これにより、耳掛部５を耳介と頭蓋との間に挿入することができ、かつ、挿入した際に耳掛部５が耳介から脱落しにくい様になっている。また、耳掛部５のＣ字形状の外周は、円盤形状の本体部１の外周と略等しく、かつ少しだけ小さくなっている。そして、耳掛部５は、耳掛部５のＣ字形状の外周が本体部１の外周と沿うように配置されている。また、耳掛部５は、使用者が携帯電話機１００を装着した際に、そのＣ字形状の開放部が使用者の前方に来るようになっている。つまり、耳掛部５は、使用者の耳介の付け根を、使用者の後方からくわえ込むように構成されている。
【００６５】
耳掛部５と本体部１とは、それらの上側（使用者が装着した際に頭の先端側になる方向）で結合している。図４は、図３の軸Ａ−Ａ’に沿った矢視断面図であり、装着時に後頭部側になる方向から見た図となっている。図４に示すように、耳掛部５と本体部１との間には、結合部材である結合部８があり、耳掛部５の上側の一部領域から結合部８が本体部１の方へ突出した構造となっている。つまり、耳掛部５および結合部８は、その垂直断面を後頭部側から見た場合に、Ｌ字型を上下逆さにした形状となっている。そして、この結合部８の耳掛部５とは反対側の端部と本体部１の上側の一部領域とが結合している。これにより、本体部１、結合部８、および耳掛部５は、略Ｕ字形状を形成し、本体部１と耳掛部５との間には、結合部８の厚みの分だけ間隙が形成される。この間隙には、使用者の耳介が挿入されることになる。携帯電話機１００の装着時において、使用者の頭部および携帯電話機１００の各部の関係は、図４の紙面右側から順に、頭蓋、耳掛部５および耳介の付け根、結合部８および耳介、本体部１の順番になる。
【００６６】
また、結合部８の内側（耳掛部５のＣ字形状の中心側）の表面上には、装着検出部６が取り付けられている。この装着検出部６は、使用者が携帯電話機１００を耳に掛けて装着した際に、使用者の耳介の外周部分によって上方に押圧される部材であり、一例として、耳介によって押すことのできる押しボタン型のスイッチを用いることができる。これにより、使用者が携帯電話機１００を装着した際に、押しボタン型のスイッチが使用者の耳介によって物理的に押されることにより、携帯電話機１００が使用者に装着されていることを検出することができる。また、装着検出部６は、押しボタン型のスイッチに限定されず、静電センサ型のスイッチであってもよい。
【００６７】
さらに、装着検出部６の他の例として温度センサが挙げられる。この場合、温度センサの検知温度が所定の温度以上の場合には、携帯電話機１００が使用者に装着されていると判断することができる。そして、所定の温度は、体温（耳介の温度）よりもわずかに低い温度などとすればよい。つまり、装着検出部６は、本体部１と耳掛部５との間に形成される間隙に耳介が挿入されたことを検出できるものであれば、何れの検知方式を用いてもよい。
【００６８】
なお、上記の例では、装着検出部６が本体部１と耳掛部５との間の結合部８の間隙側の表面上に設けられているが、本発明はこれに限定されず、図５に示すように本体部１の、間隙側の円形表面上の一部領域３１に設けられていてもよいし、耳掛部５の、間隙側の表面上の一部領域３２に設けられていてもよい。つまり、装着検出部６は、本体部１と耳掛部５との間に形成される間隙内の何れかの領域に設けられていればよい。
【００６９】
なお、装着検出部６は、間隙部分に耳介が挿入されたこと（換言すれば使用者の頭部に携帯電話機１００が装着されたこと）を検出する目的で設けられるものであって、使用者が携帯電話機１００を非装着状態で持ち運ぶ際に、指などが挿入されることによって携帯電話機１００が使用者に装着されていると誤認してしまわないことが好ましい。このため、結合部８の厚み、すなわち本体部１と耳掛部５との間の距離（間隙の寸法）は、間隙に指が挿入されない程度の大きさであることが好ましい。間隙の具体的な寸法は、１９９１年から１９９２年にかけて工業技術院製品科学研究所が行った計測調査の結果における第二指遠位間接幅の最小値１１．５ｍｍに基づいて決定することができる（ＡＩＳＴ人体寸法データベース１９９１−１９９２、http://www.dh.aist.go.jp/AIST91DB/91-92/main.htmlを参照のこと）。具体的には、間隙の寸法は、１３ｍｍ以下であることが好ましく、１２ｍｍ以下であることがより好ましく、１１．５ｍｍ以下であることがさらに好ましく、１１．３ｍｍ以下であることが特に好ましい。これにより、使用者が間隙に指を入れて携帯電話機１００を掴んだ際に、指などが間隙に挿入されて装着検出部６が誤検出するのを抑制・回避することができる。なお、本体部１と耳掛部５との間隙が部位によって異なる場合は、本体部１と耳掛部５との間隙の最小値が上記の値であることが好ましい。
【００７０】
なお、上記の説明では、本体部１と耳掛部５とが結合部８を介して固定的に結合している構成について説明したが、本発明はこれに限定されず、耳掛部５が可動式で、本体部１に対して相対的に動くことができるように取り付けられていてもよい。この場合、本体部１と耳掛部５との間に形成される間隙の大きさは、常に指が挿入されない程度の大きさでなくてもよい。すなわち、間隙の大きさは、非装着状態に指が挿入されない程度の大きさであれば、装着状態では指が挿入されるほど大きくなってもよい。
【００７１】
可動式の耳掛部５の例としては、結合部８が伸縮可能で、耳掛部５が本体部１の円形表面の法線方向に移動する（すなわち、耳掛部５が本体部１から遠ざかったり近づいたりするように移動する）構成が挙げられる。この構成によれば、使用者が装着する際には、耳掛部５を本体部１から遠ざかるように動かして間隙部を広げることによって、容易に耳介を挿入することができるとともに、装着しない際には、耳掛部５を本体部１に近づくように動かして間隙部を狭めることによって、指などが挿入されないようにすることができる。この構成においては、耳掛部５を最も本体部１に近づけた際にできる間隙の大きさが、上述した条件を満たしていればよい。すなわち、耳掛部５が可動式の場合は、耳掛部５を任意の位置に動かした場合に間隙のとり得る最小の寸法が上記の条件を満たしていればよい。
【００７２】
本体部１の外周の一部分からは、棒形状の画面支持部２が本体部１の円形表面の接線方向に突出している。ここで、突出する方向は、使用者が携帯電話機１００を頭部に装着した際に、使用者の前方を向く方向となっている。そして、本体部１から突出した画面支持部２の先端には音声入力部３が設けられ、さらに音声入力部３の先端には表示部４が設けられている。画面支持部２、音声入力部３、および表示部４は、この順番に直列に接続され、全体として一つの棒形状となっている。
【００７３】
音声入力部３はマイクを備え、通話時に使用者が相手に対して伝える音声を取り込むために用いられる。この音声入力部３は、使用者が携帯電話機１００を頭部に装着した際に、なるべく使用者の口に近い位置に配置されることが好ましい。また、骨伝導マイクを用いる際は本体部１など、使用者の骨に近いところに設けることが好ましい。
【００７４】
また、表示部４は薄型の液晶パネルなどを備え、後述する着信などの各種イベントを使用者に通知するために用いられる。表示部４は、使用者が携帯電話機１００を頭部に装着した際に、使用者から見える位置に配置される。これにより、使用者は、携帯電話機１００を頭部に装着している際に、各種イベント情報を表示部４による表示によって視覚的に把握することができる。また、この表示部４には、充電池の残量など、携帯電話機１００に関する様々な情報を表示してもよい。また、携帯電話機１００が映像を再生する機能を有している場合、表示部４が映像を表示することが好ましい。また、携帯電話機１００が電子メールを送受信できる場合は、電子メールの内容も表示できることが好ましい。
【００７５】
画面支持部２は、本体部１と、表示部４および音声入力部３とを繋ぐ接続部材であり、耳に装着される本体部１と、目および口に近い位置に設けられた表示部４および音声入力部３との距離を調節する役割を担っている。図２に示すように、携帯電話機１００の本体部１が耳に掛けられると、画面支持部２の先端に設けられた表示部４が、使用者の目の斜め前に配置される。
【００７６】
次に、本実施形態の携帯電話機１００の機能構成について説明する。図１は、携帯電話機１００の機能構成を示すブロック図である。図１に示すように、携帯電話機１００は、制御部１１、通信部１２、振動部１３、着信音出力部１４、音声出力部７、着信時設定記憶部１６、音声入力部３、表示部４、および装着検出部６を備えている。なお、これらの部材のうち、制御部１１、通信部１２、振動部１３、着信音出力部１４、音声出力部７、および着信時設定記憶部１６は本体部１に備わっており、音声入力部３および表示部４は画面支持部２の先端に備わっており、装着検出部６は耳掛部５に備わっている。
【００７７】
制御部１１は、ＣＰＵ、ＲＡＭ、およびＲＯＭを備えており、ＲＡＭまたはＲＯＭに格納された各種プログラムを実行することにより、各部をモニタリングしたり動作を制御したりすることができる。通信部１２は、相手側の携帯電話機と通話する際に必要な通信機能を有するものであり、アンテナを備えている。
【００７８】
振動部１３は振動を発するバイブレータを備えており、着信や設定した時刻の到来などの各種イベントを使用者に通知するために用いられる。ここで、振動部１３による振動の強度は調節可能となっており、制御部１１がこの調節を行う。また、着信音出力部１４はスピーカを備えており、着信や設定した時刻の到来などの各種イベントを使用者に対して音によって通知するために用いられる。着信音出力部１４から出力される音の音量も調節可能となっており、制御部１１がこの調節を行う。なお、着信音出力部１４は、音声出力部７のスピーカよりも大きな音量で周囲に音を出力することができるようになっており、これにより、使用者が携帯電話機１００を装着せずに離れていても、使用者にイベントの通知を行うことができるようになっている。
【００７９】
音声出力部７は、上述した通り、通話時に相手側の音声を出力するために用いられる。具体的には、相手側の携帯電話機が基地局を介して送信した音声信号を通信部１２が受信し、通信部１２によって受信された音声信号を制御部１１が音声出力部７に送り、これを受け取った音声出力部７が音声として出力する。
【００８０】
音声入力部３は、上述した通り、通話時に使用者が相手側に伝える音声を入力するために用いられる。具体的には、音声入力部２１に入力された音声は、音声信号に変換されて通信部１２に送られ、これを通信部１２が基地局に送信することによって相手側の携帯電話機に音声情報が送り届けられる。
【００８１】
着信時設定記憶部１６はＲＡＭを備え、使用者が設定した所望のイベント通知方法を記憶するために用いられる。イベント通知方法としては、上述した着信音出力部１４を用いた着信音によるもの、振動部１３を用いた振動によるもの、表示部４を用いた表示によるもののうち、所望の方法を組み合わせて用いることができる。また、着信音出力部１４による方法を用いる場合、音の種類（音声、音楽、パターン音など）や音量についての情報も着信時設定記憶部１６に記憶される。また、振動部１３による方法を用いる場合、振動のパターンや振動の強度も着信時設定記憶部１６に記憶される。また、表示部４による方法を用いる場合、表示の仕方（アニメーション設定、色）なども着信時設定記憶部１６に記憶される。なお、着信時設定記憶部１６に記憶されたイベント通知方法は、基本的には使用者が携帯電話機１００を装着していないときに用いられる方法である。
【００８２】
次に、本実施形態の携帯電話機１００のイベント通知方法について説明する。図６は、本実施形態の携帯電話機１００の着信時の動作を示す工程図である。なお、以下の工程において特に記載のない場合は各処理を制御部１１が行っているものとする。
【００８３】
まず、ステップＳ１では、携帯電話機１００に着信があるかどうかを判定する。具体的には、通信部１２が、他の携帯電話機器からの発信を受け付けているかどうかを制御部１１が判定する。ここで、着信がない場合は、再びステップＳ１に戻り、着信があるかどうかを判断する。一方、着信があった場合は、次のステップＳ２に進む。
【００８４】
次に、ステップＳ２では、携帯電話機１００が使用者に装着されているか否かを判定する。具体的には、装着検出部６が耳介を検出しているか否かを判定する。ここで、装着されていると判定された場合はステップＳ３に進み、装着されていないと判定された場合はステップＳ４に進む。
【００８５】
携帯電話機１００が装着されていると判定された場合、ステップＳ３では、表示部４のみが使用者に着信を通知する。ここで、上述した着信時設定記憶部１６に振動や着信音による方法が設定されていても、制御部１１はこれを無視し、表示部４に着信を示す画像を表示させる。着信を示す画像としては、例えば、「着信中」という文字が表示され、さらに相手側の電話番号が表示された画像などが挙げられる。また、着信を示す画像がアニメーションしてもよい（すなわち時間とともに変化してもよい）。そして、ステップＳ５に進む。
【００８６】
一方、装着されていないと判定された場合、ステップＳ４では、着信時設定記憶部１６に設定された所望の通知方法に基づいて使用者に着信を通知する。具体的には、制御部１１が着信時設定記憶部１６を参照し、そこに設定された所望の通知方法に基づいて、表示部４、振動部１３、着信音出力部１４の少なくとも何れかに通知を行わせる。例えば、着信時設定記憶部１６に振動による通知を設定している場合、制御部１１は、振動部１３に、着信時設定記憶部１６に設定された強度で振動させる。あるいは、例えば、着信時設定記憶部１６に音による通知を設定している場合、制御部１１は、着信音出力部１４に、着信時設定記憶部１６に設定された音量で音声を出力させる。そして、ステップＳ５に進む。
【００８７】
ステップＳ５では、通話が開始されたか否かを判定する。具体的には、携帯電話機１００は図示しないボタンなどを有しており、このボタンなどが押された場合に、着信を受け付け、通話が開始される。制御部１１は、このボタンなどが押されたか否かを判定し、押されていない場合は、着信の通知を継続し、再びボタンが押されたかどうかを判定する。そして、ボタンが押された場合は、ステップＳ６に進んで着信の通知を停止し、本処理を終了する。なお、上記の説明では、使用者がボタンによって通話の開始を指示する構成としたが、本発明はこれに限定されず、例えば、音声入力部３がユーザによる所定の言葉を受け付けることによって、通話が開始されるようにしてもよいし、着信状態が予め設定された時間続くことによって、通話が開始されるようにしてもよい。
【００８８】
以上のように、本実施形態の携帯電話機１００によれば、使用者が携帯電話機１００を頭部に装着している際には、表示部４による着信の通知のみが行われ、振動部１３や着信音出力部１４による着信の通知は行われない。従って、振動部１３による振動が使用者の頭部に直接伝わることがなく、使用者が不快に感じることがない。また、使用者の耳元で大音量の着信音が鳴ることもなく、使用者が不快に感じることがない。
【００８９】
なお、本実施形態では、表示部４が液晶パネルを備える構成となっているが、本発明はこれに限定されるものではない。表示部４は、液晶パネルの代わりにＬＥＤを備えていてもよい。この場合、着信の通知は、ＬＥＤの点滅または点灯などによって行うことができる。つまり、表示部４は、使用者に視覚的に情報を通知できるものであればどのようなものであってもよい。
【００９０】
また、本実施形態では、制御部１１が、着信の際に装着検出部６が携帯電話機１００の装着を検出した場合に、振動部１３および着信音出力部１４の動作を禁止するよう構成されているが、本発明はこれに限定されず、振動部１３による振動の強度、着信音出力部１４から出力される着信音の音量の少なくとも一方を減少させるように構成してもよい。このような構成であっても、使用者が感じ得る不快感を低減することができる。
【００９１】
また、本実施形態では、携帯電話機について説明したが、本発明はこれに限定されるものではない。使用者の頭部に装着することを目的として製造された一般的な携帯通信端末装置やＰＤＡ、携帯式の時計、携帯音楽再生機器、携帯映像再生機器などの携帯機器にも本発明を適用することができる。
【００９２】
また、上記の説明では、使用者に通知を行うイベントとして着信を例に挙げて説明したが、本発明はこれに限定されるものではない。例えば、電子メールの受信や、アラームを設定した時刻の到来、充電地の残量低下など、他のイベントの通知方法としても用いることができる。また、携帯電話機以外の各種携帯機器に適用する場合にも、その携帯機器で発生するあらゆるイベントの通知方法として用いることができる。
【００９３】
また、本実施形態における装着検出部６は、耳介の接触を検知することによって、携帯電話機１００が人体のうちの頭部に装着されていることを特異的に検出するものであるが、本発明はこれに限定されるものではない。装着検出部６は、頭部に限定されず、人体に携帯電話機が装着されていることを検出できる検出部であってもよい。このような例としては、上述した特許文献１に記載された温度センサや、特許文献２に記載された人体に存在する特有の低周波振動を検出できるセンサなどが挙げられる。これらを用いる場合であっても、携帯電話機１００を頭部に装着した際に、不快感を防止できるという効果を同様に得ることができる。
【００９４】
また、その他の変形例としては、使用者の意志に応じて着信音や振動を停止させるための図示しないスイッチ（操作部）を、本携帯電話機の頭部への着脱の際に操作容易な箇所、例えば本体部１の耳介とは反対側の表面上などに設けてもよい。使用者が携帯電話機１００を着脱する際にこのスイッチを押しておくことによって、着脱途中に耳元で大音量の着信音が鳴ったり、頭部で振動が起こったりすることによる不快感を防止することができる。この場合、使用者がこのスイッチを押すと、制御部１１は、スイッチが押されている間、振動部１３による振動や着信音出力部１４による着信音を減少させる。
【００９５】
なお、このスイッチは、装着検出部５を非装着時に操作可能な位置、例えば耳掛部５の耳介の根元と当接する部分（すなわちＣ字形状の内側部分）などに設けることによって実現してもよい。このように装着検出部５を配設すれば、使用者が装着検出部５を指などで押すことができ、かつ、装着検出部５が頭部への装着を検出することができる。この場合、使用者が装着時に装着検出部５を装着状態にした後に装着を行い、また、外すときは装着検出部５を装着状態にしたまま外し、外した後に非装着状態に切り替えることで、着脱途中での着信音や振動の発生を防ぐことができる。
【００９６】
〔実施形態２〕
本発明の他の実施形態に係る携帯電話機について説明すると以下の通りである。本実施形態の携帯電話機は、携帯電話機を頭部に装着している状態で着信を受けた際の処理のみが、上述の実施形態１と異なっている。本実施形態において説明を省略している部分については、上述した実施形態１と同様であるものとする。図７は、本実施形態の携帯電話機２００の着信時の動作を示す工程図である。なお、以下の工程において特に記載のない場合は各処理を制御部１１が行っているものとする。
【００９７】
まず、ステップＳ１１・Ｓ１２は、実施形態１のステップＳ１・Ｓ２と同様である。そして、ステップＳ１２において、装着されていないと判定された場合はステップＳ１４に進む。ステップＳ１４は、実施形態１のステップＳ４と同様であり、その後、ステップＳ１８に進む。
【００９８】
一方、ステップＳ１２において装着されていると判定された場合は、ステップＳ１３に進む。ステップＳ１３では、着信時設定記憶部１６を参照し、振動による通知方法が設定されているかどうかを判定する。ここで、振動による通知方法が設定されている場合はステップＳ１５に進む。ステップＳ１５では、振動部１３の振動の強度を着信時設定記憶部１６に設定されている強度よりも下げて、その強度による振動によって着信の通知を行う。具体的には、制御部１１が、着信時設定記憶部１６に設定されている強度よりも小さい強度で振動部１３を振動させる。そして、ステップＳ１６に進む。一方、ステップＳ１３において着信時設定記憶部１６に振動による通知方法が設定されていないと判定された場合には、振動部１３を振動させることなくそのままステップＳ１６に進む。
【００９９】
次に、ステップＳ１６では、着信時設定記憶部１６を参照し、着信音による通知方法が設定されているかどうかを判定する。ここで、着信音による通知方法が設定されている場合はステップＳ１７に進む。ステップＳ１７では、着信音出力部１４の音量を着信時設定記憶部１６に設定されている音量よりも下げて、その音量の着信音によって着信の通知を行う。具体的には、制御部１１が、着信時設定記憶部１６に設定されている音量よりも小さい音量で着信音出力部１４に着信音を出力させる。そして、ステップＳ１８に進む。一方、ステップＳ１６において着信時設定記憶部１６に着信音による通知方法が設定されていないと判定された場合には、着信音出力部１４に着信音を出力させることなくそのままステップＳ１８に進む。
【０１００】
そして、ステップＳ１８・Ｓ１９は、実施形態１のステップＳ５・Ｓ６と同様である。
【０１０１】
以上のように、本実施形態の携帯電話機２００によれば、使用者が携帯電話機２００を頭部に装着している際には、振動部１３による振動の強度を設定値よりも小さくするので、使用者の頭部に伝わる振動の強度を低減させることができ、使用者の不快感を軽減することができる。また、着信音による通知を設定している場合には、着信音を設定値よりも小さくするので、使用者の耳元で大音量の着信音が鳴ることもなく、使用者が不快に感じることがない。
【０１０２】
なお、上記のステップＳ１５において実際に通知に用いられる振動の強度は、予め実験などによって使用者が不快に感じることのない強度を求めておき、求めた強度に基づいて決定することができる。あるいは、実際に用いられる振動の強度は、着信時設定記憶部１６の設定値のａ倍（ただし、０≦ａ＜１）としてもよいし、使用者が明示的に設定してもよい。また、上記のステップＳ１６において通知に用いられる着信音の音量についても、上述した振動の強度と同様である。
【０１０３】
また、ステップＳ１３・Ｓ１５は、ステップＳ１６・Ｓ１７の後に行ってもよい。すなわち、振動による通知と着信音による通知とを逆の順序で行ってもよい。
【０１０４】
また、着信時設定記憶部１６に、表示による通知方法が設定されている場合は、ステップＳ１２からステップＳ１８までの何れかのステップにおいて、表示による通知を行うことが好ましい。具体的には、制御部１１が着信時設定記憶部１６を参照し、表示による通知方法が設定されているかどうかを判定する。ここで、表示による通知方法が設定されている場合は、制御部１１が、着信時設定記憶部１６に設定されている内容に基づいて、表示部４に着信を通知するための画像を表示させる。一方、表示による通知方法が設定されていない場合には、そのまま表示を行わせることなく次の処理に進む。
【０１０５】
なお、この他に、使用者の意志に応じて着信音や振動を停止させるための図示しないスイッチを、本携帯電話機の頭部への着脱の際に操作容易な箇所に設けてもよい。
【０１０６】
また、上記の記載では装着している状態における制御部１１の各処理について説明したが、携帯電話機２００を頭部から外す際には、制御部１１が、装着時の振動および音量の強度から徐々に、例えば数秒程度かけて非装着時の振動・音量まで変更させてもよい。すなわち、制御部１１は、携帯電話機２００が頭部から装着解除されたことを装着検出部６が検出してから数秒以内に着信が発生した場合、または着信が発生している間に携帯電話機２００が人体から装着解除されたことを装着検出部６が検出した場合には、振動部１３による振動の強度および着信音出力部１４による着信音の音量を、携帯電話機２００が装着されたときの強度または音量から装着されていないときの強度または音量まで、装着解除が検出された時点からの経過時間に応じて段階的または連続的に変化させてもよい。これによって、外してしばらくの間は振動量・音量が非装着時より少ないため、外す途中に耳元で着信音などによる通知が行われた際の不快感を軽減できる。この場合、携帯電話機１００は、図示しないタイマをさらに備え、制御部１１は、装着検出部６が携帯電話機１００の装着解除を検出した時点でタイマをリセットし、タイマのカウントに応じて、音量および強度を段階的または連続的に非装着時の音量および強度に近づくよう調節すればよい。なお、装着検出部６は、上述したように押しボタン型のスイッチ、静電スイッチ、または温度センサなどで構成すれば、スイッチまたはセンサがオフになったことによって携帯電話機２００の頭部からの装着解除を検出することができる。
【０１０７】
また、携帯機電話機２００を頭部から外す際の制御部１１の処理の他の例としては、非装着の状態で一定時間（例えば数秒程度）経過した後に、非装着時の通知方法に切り替えるようにしてもよい。すなわち、制御部１１は、携帯電話機２００が頭部から装着解除されたことを装着検出部６が検出してから数秒以内に着信が発生した場合、または着信が発生している間に携帯電話機２００が頭部から装着解除されたことを装着検出部６が検出した場合には、装着解除が検出された時点から数秒後に、振動部１３による振動の強度および着信音出力部１４による着信音の音量を携帯電話機２００が装着されていないときの強度に変化させてもよい。これによって、外してしばらくの間は振動量・音量が非装着時の値や非装着時の方法であるため、外す途中に耳元で着信音などによる通知が行われることによる不快感を軽減できる。また、ジャンプしたり走ったりして端末が頭部から外れかかった場合にも、数秒が経過する前に再装着することにより、不快感の発生を防止できる。この場合も、携帯電話機１００は図示しないタイマをさらに備え、制御部１１は、装着検出部６が携帯電話機１００の装着解除を検出した時点でタイマをリセットし、タイマのカウントが所定のカウントになった時点で、音量および強度を非装着時の音量および強度に設定すればよい。
【０１０８】
〔実施形態３〕
本発明のさらに他の実施形態に係る携帯電話機について説明すると以下の通りである。本実施形態の携帯電話機は音楽再生機能を備え、頭部に携帯電話機を装着した状態で着信を受けた際の処理が、上述の実施形態１と異なっている。本実施形態において説明を省略している部分については、上述した実施形態１と同様であるものとする。
【０１０９】
図８は、本実施形態に係る携帯電話機の機能構成を示すブロック図である。図８に示すように、携帯電話機３００は、実施形態１の携帯電話機１００において、さらに音楽再生部１５および再生音量記憶部１７を備えた構成となっている。
【０１１０】
音楽再生部１５は、デジタルデータに基づいて音楽を再生するためのものである。デジタルデータとしては、例えばＭＰ３フォーマットのデータなどを用いることができるが、本発明はこれに限定されるものではなく、好適な任意の音楽再生用データを用いることができる。音楽再生部１５は、ＣＰＵおよびＲＡＭを備え、音楽再生用プログラムを記録媒体から、あるいはネットワークを介してＲＡＭに読み込み、読み込んだプログラムをＣＰＵが実行することによって実現してもよいし、専用のハードウェアロジック回路によって実現してもよい。なお、音楽再生部１５の制御は、制御部１１によって行われる。また、音楽再生部１５によって再生された音楽は、音声出力部７から使用者へ向けて出力される。
【０１１１】
ここで使用者は、音声出力部７から出力される音楽の音量を設定することができる。ユーザは、図示しないボタンなどにより、音声出力部７から出力される音楽の音量を所望の音量に設定することができる。この際に設定された音量を記憶するのが再生音量記憶部１７である。なお、再生音量記憶部１７は、ＲＡＭなどによって構成される。
【０１１２】
このような携帯電話機３００のイベント通知方法について説明する。図９は、本実施形態の携帯電話機３００の着信時の動作を示す工程図である。なお、以下の工程において特に記載のない場合は各処理を制御部１１が行っているものとする。
【０１１３】
まず、ステップＳ２１・Ｓ２２は、実施形態１のステップＳ１・Ｓ２と同様である。そして、ステップＳ２２において装着されていないと判定された場合は、ステップＳ２３に進む。ステップＳ２３は、実施形態１のステップＳ４と同様であり、その後、ステップＳ２６に進む。
【０１１４】
一方、ステップＳ２２において装着されていると判定された場合は、ステップＳ２４に進む。ステップＳ２４では、再生音量記憶部１７を参照し、音楽再生時に用いられている音量の設定値を取得する。そして、ステップＳ２５に進み、ステップＳ２４で取得した音量で音声出力部７から着信音を出力する。具体的には、制御部１１が、音声出力部７に、取得した音量で着信音を出力させることによって、使用者に着信の通知を行う。このとき、着信音出力部１４からは着信音を出力させない。また、着信時設定記憶部１６に振動による通知方法が設定されている場合であっても、振動部１３に振動による通知を行わせない。これに対して、着信時設定記憶部１６に表示による通知が設定されている場合は、表示部４に着信を通知するための画像を表示させてもよい。
【０１１５】
なお、上記のステップＳ２５において、音声出力部７から出力させる着信音の種類は、着信時設定記憶部１６に設定されたものであってもよいし、別のものであってもよい。そして、ステップＳ２６に進む。ステップＳ２６・Ｓ２７は、実施形態１のステップＳ５・Ｓ６と同様である。
【０１１６】
本実施形態の携帯電話機３００によれば、上述した実施形態１の効果に加えてさらに以下の効果が得られる。すなわち、着信音出力部１４から着信音を出力することなく、音楽を再生する際の音量で音声出力部７から着信音を出力させるため、使用者に着信音による通知が行われても、使用者の耳元で大音量の着信音が鳴ることがない。従って、使用者に不快感を与えることなく、着信音によって着信の通知を行うことができる。また、使用者が音楽を視聴している際に着信があっても、音量が急変することがないため、使用者が不快に感じることがない。
【０１１７】
さらに、本実施形態の携帯電話機３００によれば以下の効果も得られる。従来の音楽再生機能を有する携帯電話機では、イヤホンジャックにイヤホンプラグが挿入されている場合に、着信音出力部からの出力を禁止するとともにイヤホンから着信音を出力する構成をとっていることがある。しかしながら、その構成の場合、使用者が音楽を視聴することなく、イヤホンジャックにイヤホンプラグを挿入した状態で携帯電話機を鞄やポケットなどにいれた場合、着信音がイヤホンからしか出力されず、使用者が着信に気づかないという問題があった。これに対して本発明では、頭部に装着されたことを検出できる装着検出部６の検出結果に基づいて着信音の切り替えが行われるため、上記のような問題を回避することができる。
【０１１８】
なお、本実施形態では、デジタルデータに基づいて音楽の再生が可能な携帯電話機について説明したが、本発明はこれに限定されず、例えば、カセットテープなどにアナログ信号によって録音された音楽を再生できる携帯機器であってもよい。
【０１１９】
また、本実施形態では、音楽の再生が可能な携帯電話機について説明したが、本発明はこれに限定されない。例えば、音楽の再生機能の代わりに、音声付きの映像を再生する機能を有する携帯機器についても本発明を適用することができる。この場合、音楽を再生する際の音量の代わりに、映像とともに再生する音声の音量に基づいて着信音の音量を決定することができる。
【０１２０】
また、本実施形態では、図９のＳ２４において再生音量記憶部１７を参照して着信音量の設定値を取得し、その音量で出力を行っているが、この音量は音楽再生用の音量とは独立して記憶される着信専用の音量であってもよい。
【０１２１】
〔補足〕
最後に、上記各実施形態の携帯電話機１００・２００・３００の制御部１１は、ハードウェアロジックによって構成してもよいし、次のようにＣＰＵを用いてソフトウェアによって実現してもよい。
【０１２２】
この場合、携帯電話機１００・２００・３００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯電話機１００・２００・３００の制御プログラムのプログラムコード（実行形式プログラム、中間コードプログラム、ソースプログラム）をコンピュータで読み取り可能に記録した記録媒体を、上記携帯電話機１００・２００・３００に供給し、そのコンピュータ（またはＣＰＵやＭＰＵ）が記録媒体に記録されているプログラムコードを読み出し実行することによっても、達成可能である。
【０１２３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２４】
また、携帯電話機１００・２００・３００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１２５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１２６】
本発明によれば、携帯機器の使用者への装着・非装着に応じて、適切にイベントの通知方法を切り換えることのできる携帯機器を実現することができる。従って、携帯電話機、ＰＤＡ、時計、音楽再生機器、映像再生機器などに適用することができる。
【図面の簡単な説明】
【０１２７】
【図１】本発明の一実施形態を示すものであり、携帯電話機の機能構成を示すブロック図である。
【図２】本発明の一実施形態を示すものであり、携帯電話機を使用者が頭部に装着したときの様子を示す図である。
【図３】本発明の一実施形態を示すものであり、本実施形態に係る携帯電話機の構造を示す概略図である。
【図４】本発明の一実施形態を示すものであり、図３の軸Ａ−Ａ’に沿った矢視断面図である。
【図５】本発明の他の実施形態を示すものであり、図３の軸Ａ−Ａ’に沿った矢視断面図である。
【図６】本発明の一実施形態を示すものであり、携帯電話機の着信時の動作を示す工程図である。
【図７】本発明の他の実施形態を示すものであり、携帯電話機の着信時の動作を示す工程図である。
【図８】本発明のさらに他の実施形態を示すものであり、携帯電話機の機能構成を示すブロック図である。
【図９】本発明のさらに他の実施形態を示すものであり、携帯電話機の着信時の動作を示す工程図である。
【符号の説明】
【０１２８】
１  本体部（耳当部（みみあてぶ））
４  表示部
５  耳掛部（みみかけぶ）
６  装着検出部
７  音声出力部（耳取付型音声出力部）
８  結合部（結合部材）
１１  制御部
１３  振動部
１４  着信音出力部（通知音出力部）
１００  携帯電話機（携帯機器）
２００  携帯電話機（携帯機器）
３００  携帯電話機（携帯機器）
【図１】
2007053585.tif 000003
【図２】
2007053585.tif 000004
【図３】
2007053585.tif 000005
【図４】
2007053585.tif 000006
【図５】
2007053585.tif 000007
【図６】
2007053585.tif 000008
【図７】
2007053585.tif 000009
【図８】
2007053585.tif 000010
【図９】
2007053585.tif 000011